(57)【要約】      （修正有）【課題】装着時にマンホール蓋の上面に露出する鍔部を容易に破壊することができない防犯効果の高い鍵孔閉塞栓を提供する。【解決手段】本体２の鍔部２１は、鍵孔の円形孔部を覆う円形鍔部２１ｂと、長孔部１０２ｂを覆う一対の翼部２１ｃとを具備する。翼部２１ｃは、円形鍔部２１ｂの対向縁から半径方向外方へ徐々にその厚さを減じるように延出する。翼部２１ｃの基部と円形鍔部２１ｂとの境界部に円弧状の脆弱な溝部２１ｄが形成される。マンホール蓋１０１の上面と鍔部との間に工具を打ち込むような破壊行為が行われると、翼部２１ｃが、溝部２１ｄにおいて容易にめくり上がることにより、工具との係合力を弱め、破壊を困難にする構成とした。【選択図】図５
2018119331.tif 000002
【特許請求の範囲】
【請求項１】
開閉操作器具挿入用の鍵孔を具備するマンホール蓋の当該鍵孔に装着され施錠される閉塞栓であって、
前記鍵孔に嵌合される嵌合部と、前記鍵孔を塞いで前記マンホール蓋の上面に当接する鍔部とを有する本体と、
キーを挿入して回転できるように前記本体の嵌合部に組み込まれ、下方にねじ棒部を有するロータと、
前記マンホール蓋の下方において前記ロータのねじ棒部に螺合され、当該ロータの回転方向に応じてねじ棒部上を昇降し、前記マンホール蓋の下面に当接する上方のロック位置において前記鍔部との間で前記マンホール蓋を上下に締め付ける締め付けナット部材とを具備し、
前記本体の鍔部は、円形鍔部と、当該円形鍔部の対向縁から半径方向外方へ延出する一対の翼部と、当該翼部の基部と前記円形鍔部との間に形成された溝部とを具備することを特徴とするマンホール蓋の鍵孔用溝付閉塞栓錠装置。
【請求項２】
前記本体の嵌合部は、前記鍔部から下方へ延出し前記マンホール蓋の鍵孔に挿入可能な円筒状のシェル部を具備し、
前記本体の鍔部は、前記ロータにキーを挿入するための開口を中央に具備し、
前記ロータは、タンブラを保持するプラグ部と、当該プラグ部から前記シェル部を自在に貫通して下方へ延出する前記ねじ棒部とを具備し、前記鍔部の開口からキー挿入孔を露出させて前記シェル部内に格納され、前記キーの挿入により前記タンブラを整列させてシェル部に対して回転自在とされることを特徴とする請求項１に記載のマンホール蓋の鍵孔用溝付閉塞栓錠装置。
【請求項３】
前記本体の嵌合部は、前記シェル部から下方へ延出する対向一対のストッパ杆部を具備し、
前記締め付けナット部材は、前記ねじ棒部の正逆回転に伴い、前記一対のストッパ杆部に当接するまで当該ねじ棒部と共回りし、当接後は当該ねじ棒部の回転方向にしたがって当該ねじ棒部上を昇降し、前記マンホール蓋の下面に当接する上方のロック位置と、当該マンホール蓋の下面から離れる下方のアンロック位置との間を移動自在に構成されることを特徴とする請求項２に記載のマンホール蓋の鍵孔用溝付閉塞栓錠装置。
【請求項４】
前記マンホール蓋の鍵孔は、円形孔部と当該円形孔部の対向縁から半径方向外側へ延びる当該円形孔部の直径より狭小幅の一対の長孔部とを有し、
前記本体の鍔部は、前記鍵孔の円形孔部を覆う前記円形鍔部と、当該円形鍔部の対向縁から半径方向外方へ延出し前記鍵孔の長孔部を覆う前記一対の翼部とを具備することを特徴とする請求項１に記載のマンホール蓋の鍵孔用溝付閉塞栓錠装置。
【請求項５】
前記本体の鍔部の一対の翼部は、前記円形鍔部の対向縁から半径方向外方へ徐々にその厚さを減じるように延出し、
前記溝部は、前記円形鍔部に接続する前記翼部の基部と前記円形鍔部との境界部に、円弧状に形成されることを特徴とする請求項４に記載のマンホール蓋の鍵孔用溝付閉塞栓錠装置。
【発明の詳細な説明】
【技術分野】
【０００１】
この発明は、マンホール蓋の開閉操作用工具の挿入用鍵孔を閉塞して施錠することにより、無権限者によるマンホール蓋の開放行為を防止する閉塞栓錠装置に関する。
【背景技術】
【０００２】
地下敷設管路などの点検修理のために、これに通じるマンホールの蓋を開放する際には、蓋に設けられた鍵孔に棒状手鍵のＴ字状の先端部を挿入し、蓋を引き起こす作業が行われる。無権限者がマンホール蓋を開放するのを防止する手段としては、特許文献１に開示されたマンホール蓋の鍵孔用盲栓装置が知られている。
この装置は、マンホール蓋の鍵孔に嵌め込まれる本体と、本体に軸周り回転自在に嵌合され、ねじ棒部を本体の下方へ延出させる主軸と、主軸のねじ棒部に螺合され本体との間でマンホール蓋を締め付けるナットとで構成される。本体は、マンホール蓋の上面に載せ置かれる円盤部と、円盤部の下方へ突出し鍵孔の円形部に挿入される筒状部とを具備する。筒状部は、上部の大径軸孔部と下部の小径軸孔部と、両端に締め付けナットの回転規制面を形成する割溝とを具備する。主軸は、本体の軸孔を貫通し、ねじ棒部を下方へ延出させる。主軸の上端には、特殊な操作ハンドルの係合凹部を有する。締め付けナットは、回転位置により鍵孔を通過可能で、本体の割溝内に延びるように側方へ張り出す固定爪を有する。主軸を操作ハンドルで順回転させると、固定爪が割溝の順回転時規制面に当接するまで締め付けナットが共回りし、当接後は主軸に沿って上昇し、蓋の下面に当接する。逆回転させると、固定爪が割溝の逆回転時規制面に当接するまで主軸と共回りし、当接後は主軸に沿って下降する。下降したナットの回転位置を鍵孔に適合させて装置を鍵孔から引き抜くことができる。操作ハンドルがなければ主軸を回転操作できない。
また、上記本体の円筒部と主軸をシリンダ錠機構に置き換えてセキュリティを強化したマンホール蓋の錠装置が特許文献２に記載されている。
【先行技術文献】
【特許文献】
【０００３】
【特許文献１】特開平１０−２０５１８４号公報
【特許文献２】特開平２０１２−２１９４７８号公報
【発明の概要】
【発明が解決しようとする課題】
【０００４】
上記従来の装置は、いずれも、開閉操作用工具の挿入用鍵孔を具備するマンホール蓋に適用されるもので、マンホール蓋の上面に密着する円盤部と、マンホール蓋の下方に配置される締め付けナットとを具備する。この円盤部と締め付けナットとで、マンホール蓋を上下に締め付けることにより、装置がマンホール蓋に固定される。しかし、マンホール蓋の鍵孔が、上面平滑な部位に形成されている場合、例えば、釘抜きのような市販の工具の先端を円盤部とマンホール蓋との間に叩き込むように打撃を加え、円盤部をめくり上げるような暴力的な応力をかけると、本体が破壊されるおそれがある。
したがって、本発明は、装着時にマンホール蓋の上面に露出する円盤部を、破壊工具を掛けにくい構成とすることにより、容易に破壊することができない防犯効果の高い鍵孔閉塞栓錠装置を提供することを目的としている。
【課題を解決するための手段】
【０００５】
以下、添付図面の符号を参照して説明するが、本発明はこれに限定されるものではない。
上記課題を解決するための、本発明のマンホール蓋の鍵孔閉塞栓１において、本体２は、鍵孔１０２に嵌合される嵌合部２２と、鍵孔１０２を塞いでマンホール蓋１０１の上面に当接する鍔部２１とを具備する。ロータ３は、キー５を挿入して回転できるように、本体２の嵌合部２２に組み込まれ、下方にねじ棒部３２を具備する。締め付けナット部材４は、マンホール蓋１０１の下方において、ロータ３のねじ棒部３２に螺合され、ロータ３の回転方向に応じて、ねじ棒部３２上を昇降し、マンホール蓋１０の下面に当接する上方のロック位置において、鍔部２１との間でマンホール蓋１０１を上下に締め付ける。鍔部２１は、円形鍔部２１ｂと、当該円形鍔部２１ｂの対向縁から半径方向外方へ延出する一対の翼部２１ｃと、当該翼部２１ｃの基部と円形鍔部２１ｂとの間に形成された溝部２１ｄとを具備する。翼部２１ｃが脆弱な溝部２１ｄにおいて屈曲し、容易にめくり上がることにより、破壊工具との係合力を弱め、破壊を困難にする。
好適には、本発明のマンホール蓋の鍵孔閉塞栓１は、さらに以下の構成をとり得る。すなわち、例えば、本体の嵌合部２２は、鍔部２１から下方へ延出しマンホール蓋１０１の鍵孔１０２に挿入可能な円筒状のシェル部２３を具備するものとすることができる。鍔部２１は、ロータ３にキー５を挿入するための開口２１ａを中央に具備する。ロータ３は、タンブラ３１ａを保持するプラグ部３１と、当該プラグ部３１からシェル部２３を自在に貫通して下方へ延出するねじ棒部３２とを具備し、開口２１ａからキー挿入孔３１ｂを露出させてシェル部２３内に格納される。ロータ３は、キー５の挿入により、タンブラ３１ａを整列させることで、シェル部２３に対して回転自在とされる。
また、本体２の嵌合部２２は、シェル部２３から下方へ延出する対向一対のストッパ杆部２４を具備するものとすることができる。この場合、締め付けナット部材４は、ねじ棒部３２の正逆回転に伴い、一対のストッパ杆部２４に当接するまでねじ棒部３２と共回りし、当接後は、ねじ棒部３２の回転方向にしたがって、ねじ棒部上を昇降する。これにより、締め付けナット部材４は、マンホール蓋１０１の下面に当接する上方のロック位置と、マンホール蓋１０１の下面から離れる下方のアンロック位置との間を移動自在に構成される。
また、マンホール蓋１０１の鍵孔１０２は、円形孔部１０２ａと当該円形孔部１０２ａの対向縁から半径方向外側へ延びる一対の長孔部１０２ｂとを有するものとすることができる。長孔部１０２ｂは、円形孔部１０２ａの直径より狭小幅である。本体２の鍔部２１は、鍵孔１０２の円形孔部１０２ａを覆う円形鍔部２１ｂと、当該円形鍔部２１ｂの対向縁から半径方向外方へ延出し鍵孔の長孔部１０２ｂを覆う一対の翼部２１ｃとを具備するものとすることができる。
さらに、鍔部２１の一対の翼部２１ｃは、円形鍔部２１ｂの対向縁から半径方向外方へ徐々にその厚さを減じるように延出させ、溝部２１ｄは、円形鍔部２１ｂに接続する翼部２１ｄの基部と円形鍔部２１ｂとの境界部に、円弧状に形成することができる。
【発明の効果】
【０００６】
本発明の閉塞栓１によれば、マンホール蓋１０１の上面と鍔部２１との間に市販の作業工具等を打ち込むような破壊行為が行われても、脆弱な溝部２１ｄにおいて翼部２１ｃが容易にめくり上がることにより、工具との係合力を弱め、破壊を困難にする。あるいは、完全破壊に至るまでの所要時間を延ばすことで、破壊活動を抑制することができる。
【図面の簡単な説明】
【０００７】
【図１】本発明の実施形態に係るマンホール蓋の鍵孔用溝付閉塞栓錠装置の正面図である。
【図２】図１の鍵孔用閉塞栓の側面図であり、（Ａ）はロック状態、（Ｂ）は非ロック状態を示す。
【図３】図１の鍵孔用閉塞栓における閉塞栓の平面図である。
【図４】図１の鍵孔用閉塞栓の底面図であり、（Ａ）はロック状態、（Ｂ）は非ロック状態を示す。
【図５】図１の閉塞栓の断面図である。
【発明を実施するための形態】
【０００８】
図面を参照して本発明の実施の形態を説明する。
図３に示すように、この実施形態の閉塞栓１を適用するマンホール蓋１０１は、開閉操作器具挿入用の鍵孔１０２を具備する。鍵孔１０２は、円形孔部１０２ａと一対の長孔部１０２ｂとを具備する。長孔部１０２ｂは、円形孔部１０２ａの直径より狭小幅で、円形孔部１０２ａの対向縁から半径方向外側へ延びる。
【０００９】
図１示すように、閉塞栓１は、マンホール蓋１０１の鍵孔１０２に装着され、鍵孔１０２を閉塞した状態で施錠される。
【００１０】
閉塞栓１は、本体２と、本体２に組み込まれるロータ３（図５）と、ロータ３のねじ棒部３２に螺号される締め付けナット部材４とを具備する。
【００１１】
閉塞栓の本体２は、鍔部２１と、その下の嵌合部２２とを具備する。嵌合部２２は、円筒状のシェル部２３と、さらにその下の一対のストッパ杆部２４とを具備し、マンホール蓋１０１の鍵孔１０２に挿入される。鍔部２１は、鍵孔１０２を覆うように、マンホール蓋１０１上に載せ置かれる。
【００１２】
鍔部２１は、ロータ３のキー挿入孔３１ｂを露出させる開口２１ａを中央に備え、マンホール蓋１０１への装着時に、下面がマンホール蓋１０１の上面に当接する。図示の実施形態においては、鍔部２１とマンホール蓋１０１との間に、仮想線で示す薄いパッキングが介設される。
【００１３】
図５に示すように、シェル部２３は、円筒状で、鍔部２１から下方へ延出し、マンホール蓋１０１の鍵孔１０２の円形孔部１０２ａに挿入される。
【００１４】
対向一対のストッパ杆部２４は、シェル部２３から下方へ延出し、それぞれ右回転規制面２４ａと左回転規制面２４ｂを有する。
【００１５】
ロータ３は、上方の円筒状のプラグ部３１と、下方のねじ棒部３２とを具備し、シェル部２３内に嵌め込まれる。プラグ部３１は、タンブラ３１ａを保持し、開口２１ａからキー挿入孔３１ｂを露出させてシェル部２３内に嵌合される。プラグ部３１は、キー挿入孔３１ｂに適正キー５が挿入されると、タンブラ３１ａを解錠状態に整列させ、シェル部２３対して回転自在とされる。ねじ棒部３２は、プラグ部３１から下方へ延出してシェル部２３を自在に貫通する。
【００１６】
締め付けナット部材４は、ねじ棒部３２に螺合するねじ筒部４１と、一対の締め付け脚部４２とを具備する。締め付け脚部４２は、ねじ筒部４１の外周対向部からストッパ杆部２４の間を半径方向外方へ延出して屈曲し、上方へ立ち上がる。したがって、締め付けナット部材４は、マンホール蓋１０１の鍵孔１０２に対して、ストッパ杆部２４を長孔部１０２ｂの位置に合わせた所定の相対回転角度位置（図２（Ｂ）、図４（Ｂ））において当該鍵孔１０２を通過するが、他の回転角度位置（図２（Ａ）、図４（Ａ））では通過不可能である。
【００１７】
締め付けナット部材４は、ねじ棒部３２の正逆回転に伴い、締め付け脚部４２がストッパ杆部２４のいずれかの回転規制面２４ａ，２４ｂに当接するまで、ねじ棒部３２と共回りし、当接後は、ねじ棒部３２の回転方向にしたがって、ねじ棒部３２上をロック位置（図１、図２（Ａ）、図４（Ａ））まで上昇し又はアンロック位置（図２（Ｂ）、図４（Ｂ））まで下降する。
【００１８】
締め付けナット部材４は、図１、図２（Ａ）、図４（Ａ）に示す上方のロック位置において、マンホール蓋１０１の下面に締め付け脚部４２の上端を当接させることにより、鍔部２１との間でマンホール蓋１０１を挟持し、本体２が鍵孔１０２から引き抜かれるのを阻止する。また、図２（Ｂ）、図４（Ｂ）に示す下方のアンロック位置において、締め付け脚部４２の上端をマンホール蓋１０１の下面から引き離すことにより、本体２をマンホール蓋１０１に対して回転可能とする。本体２を回転させて、締め付け脚部４２を鍵孔１０２の長孔部１０２ｂの位置に合わせ、鍵孔１０２から引き抜くことができる。
【００１９】
鍔部２１は、鍵孔１０２の円形孔部１０２ａを覆う直径の円形鍔部２１ｂと、鍵孔１０２の長孔部１０２ｂを覆う一対の翼部２１ｃとを具備する。翼部２１ｃは、円形鍔部２１ｂの対向縁から半径方向外方へ徐々にその厚さを減じるように延出する。翼部２１ｃの基部と円形鍔部２１ｃとの境界部に円弧状の脆弱な溝部２１ｄが形成される。翼部２１ｃの下面には、鍵孔１０２の長孔部１０２ｂに嵌合して鍵孔１０２に対する相対回転を阻止する回り止め突起２１ｅが形成される。
【００２０】
なお、溝部２１ｄは円弧状に限定されない、直線状、破線状であってよいし、その断面形状も、コ字状のほか、円弧状、Ｖ字状等種々の形状を採用しうる。溝部２１ｄの幅と深さを調整することで、最適な脆弱性を決定する。溝部２１ｄの深さは、全厚の１/３から１/２が好適で、この間で設計できる。
【００２１】
いま、閉塞栓１の嵌合部２２が、マンホール蓋１０１の鍵孔１０２に挿入された図２（Ｂ）、図４（Ｂ）に示す状態で、締め付け脚部４２の基部は、緩み止め杆部２５より下方にある。キー挿入孔３１ｂ（図５）へキー５を挿入して解錠し、ロータ３を右回転させると、締め付けナット部材４は、ねじ棒部３２と共に９０°回転し、ストッパ杆部２４の右回転規制面２４ａに当接する（図２（Ａ）、図４（Ａ））。この状態で、締め付けナット部材４の締め付け脚部４２が鍵孔１０２の長孔部１０２ｂに対して９０°離れた相対角度位置にある。ロータ３をさらに右回転させると、ねじ棒部３２と締め付けナット部材４との間に相対回転が生じ、締め付けナット部材４は、ねじ棒部３２に沿って相対的に上昇し、図１、図２（Ａ）、図４（Ａ）に示すように、マンホール蓋１０１の下面に当接することにより、円盤部１２との間でマンホール蓋１０１を挟んでロックする。この状態では、閉塞栓１を鍵孔１０２から抜き取ることができず、したがって、マンホール蓋１０１を開放することができない。なお、図示の実施形態においては、本体２の下部に、ストッパ杆部２４と並んで、これよりも短い緩み止め杆部２５が突設されている。ロック状態において、締め付け脚部４２は、ストッパ杆部２４と緩み止め杆部２５との間にあって、回転が止められるので、振動等の外力が加わっても緩むことがない。
【００２２】
図１、図２（Ａ）、図４（Ａ）の状態から、キー挿入孔３１ｂへキー５を挿入してロータ３を左回転させると、締め付けナット部材４が下降を始め、締め付け脚部４２が緩み止め杆部２５を過ぎると、図２（Ｂ）、図４（Ｂ）に示す位置まで、ねじ棒部３２と共に９０°左回転し、ストッパ杆部２４の左回転規制面２４ｂに当接して、供回りが止められる。この状態で、締め付けナット部材４の締め付け脚部４２が鍵孔１０２の長孔部１０２ｂの直下に配置される。その後、ロータ３の左回転を継続すると、締め付けナット部材４は、ねじ棒部３２に対して相対的にさらに下降し、締め付け脚部４２がマンホール蓋１０１の下面から所定距離離れる。この状態で閉塞栓１を引き上げると、鍵孔１０２から抜き取ることができる。
【００２３】
マンホール蓋１０１の上面と鍔部２１との間に作業工具を打ち込むような破壊行為が行われると、翼部２１が脆弱な溝部２１ｄにおいて容易にめくり上がることにより、工具との係合力を弱め、破壊を困難にする。市販の同一の工具を用いた破壊実験によって、鍵孔１０２の長孔部１０２ｂの端部までを覆う大きな直径の円形鍔部を有する従来の閉塞栓の完全破壊に至るまでに要する時間に対し、この実施形態の閉塞栓の完全破壊に至るまでに要する時間は、有意に長時間となることを確認した。
【符号の説明】
【００２４】
１      閉塞栓
２      閉塞栓の本体
２１    鍔部
２１ａ  開口
２１ｂ  円形鍔部
２１ｃ  翼部
２１ｄ  溝部
２１ｅ  回り止め突起
２２    嵌合部
２３    シェル部
２４    ストッパ杆部
２５    緩み止め杆部
３      ロータ
３１    プラグ部
３１ａ  タンブラ
３１ｂ  キー挿入孔
３２    ねじ棒部
４      締め付けナット部材
４１    ねじ筒部
４２    締め付け脚部
４２ａ  右回転規制面
４２ｂ  左回転規制面
５      キー
１０１  マンホール蓋
１０２  鍵孔
１０２ａ  円形孔部
１０２ｂ  長孔部
【図１】
2018119331.tif 000003
【図２】
2018119331.tif 000004
【図３】
2018119331.tif 000005
【図４】
2018119331.tif 000006
【図５】
2018119331.tif 000007
【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
開閉操作器具挿入用の鍵孔を具備するマンホール蓋の当該鍵孔に装着され施錠される閉塞栓であって、
前記鍵孔に嵌合される嵌合部と、前記鍵孔を塞いで前記マンホール蓋の上面に当接する鍔部とを有する本体と、
キーを挿入して回転できるように前記本体の嵌合部に組み込まれ、下方にねじ棒部を有するロータと、
前記マンホール蓋の下方において前記ロータのねじ棒部に螺合され、当該ロータの回転方向に応じてねじ棒部上を昇降し、前記マンホール蓋の下面に当接する上方のロック位置において前記鍔部との間で前記マンホール蓋を上下に締め付ける締め付けナット部材とを具備し、
前記本体の鍔部は、円形鍔部と、当該円形鍔部の対向縁から半径方向外方へ徐々にその厚さを減じるように延出する一対の翼部と、当該翼部の基部と前記円形鍔部との境界部に、円弧状に形成された溝部とを具備することを特徴とするマンホール蓋の鍵孔用閉塞栓。
【請求項２】
前記本体の嵌合部は、前記鍔部から下方へ延出し前記マンホール蓋の鍵孔に挿入可能な円筒状のシェル部を具備し、
前記本体の鍔部は、前記ロータにキーを挿入するための開口を中央に具備し、
前記ロータは、タンブラを保持するプラグ部と、当該プラグ部から前記シェル部を自在に貫通して下方へ延出する前記ねじ棒部とを具備し、前記鍔部の開口からキー挿入孔を露出させて前記シェル部内に格納され、前記キーの挿入により前記タンブラを整列させてシェル部に対して回転自在とされることを特徴とする請求項１に記載のマンホール蓋の鍵孔用閉塞栓。
【請求項３】
前記本体の嵌合部は、前記シェル部から下方へ延出する対向一対のストッパ杆部を具備し、
前記締め付けナット部材は、前記ねじ棒部の正逆回転に伴い、前記一対のストッパ杆部に当接するまで当該ねじ棒部と共回りし、当接後は当該ねじ棒部の回転方向にしたがって当該ねじ棒部上を昇降し、前記マンホール蓋の下面に当接する上方のロック位置と、当該マンホール蓋の下面から離れる下方のアンロック位置との間を移動自在に構成されることを特徴とする請求項２に記載のマンホール蓋の鍵孔用閉塞栓。
【請求項４】
前記マンホール蓋の鍵孔は、円形孔部と当該円形孔部の対向縁から半径方向外側へ延びる当該円形孔部の直径より狭小幅の一対の長孔部とを有し、
前記本体の鍔部は、前記鍵孔の円形孔部を覆う前記円形鍔部と、当該円形鍔部の対向縁から半径方向外方へ延出し前記鍵孔の長孔部を覆う前記一対の翼部とを具備することを特徴とする請求項１に記載のマンホール蓋の鍵孔用閉塞栓。